【手続補正書】
【提出日】平成19年2月28日(2007.2.28)
【手続補正１】
【補正対象書類名】明細書
【補正対象項目名】発明の名称
【補正方法】変更
【補正の内容】
【発明の名称】映像情報再生装置及び映像情報の再生方法
【手続補正２】
【補正対象書類名】明細書
【補正対象項目名】特許請求の範囲
【補正方法】変更
【補正の内容】
【特許請求の範囲】
【請求項１】  同一のプログラムが所定の時間差をもって複数チャンネル配信されるニア・ビデオ・オン・デマンドシステムにおける映像情報再生装置であって、
前記プログラムの先頭部分データを予め前記所定の時間差分記録する記録手段と、前記記録手段に記録した前記所定の時間差分の先頭部分データを再生するデジタル信号再生手段と、データの書き込みとデータの読み出しとを並行して行うことができるメモリ手段と、前記プログラムが選択されたときに、前記デジタル信号再生手段により前記先頭部分データを再生し、前記先頭部分データを再生中に、前記先頭部分データに続くデータを前記メモリ手段に書き込み、前記先頭部分データに引き続いて前記メモリ手段から続きデータを読み出し、出力する如く制御する制御手段とを有する映像情報再生装置において、
前記プログラム中の時間情報を抽出する時間情報抽出手段を設け、前記プログラムが変更されたときに前記時間情報抽出手段に得られる時間情報を基準として前記記録手段に記録しているデータを変更されたプログラムの先頭部分データに
記録しなおすようにしたことを特徴とする映像情報再生装置。
【請求項２】  請求項１記載の映像情報再生装置において、
前記制御手段の時間情報として前記時間情報抽出手段に得られる時間情報を使用するようにしたことを特徴とする映像情報再生装置。
【請求項３】 請求項１記載の映像情報再生装置において、
前記制御手段は、上記複数チャンネルのうちの１つのチャンネルにより配信されるスケジューノレ情報より、プログラムが変更されたことを検出し、この検出結果に基づいて、時間情報抽出手段により時間情報を抽出してプログラムの変更を行うことを特徴とする映像情報再生装置。
【請求項４】 同一のプログラムが所定の時間差をもって複数チャンネル配信されるニア・ビデオ・オン・デマンドシステムにおける映像情報再生装置であって、
前記プログラムの先頭部分データを予め前記所定の時間差分、データの書き込みとデータの読み出しとを並行して行える記録媒体上に記録する記録手段と、
前記記録手段に記録した前記所定の時間差分の先頭部分データを再生するデジタル信号再生手段と、前記プログラムが選択されたときに、前記デジタル信号再生手段により前記先頭部分データを再生し、前記先頭部分データを再生中に、前記先頭部分データに続くデータを前記記録媒体に書き込み、前記先頭部分データに引き続いて前記記録媒体から続きデータを読み出し、出力する如く制御する制御手段とを有する映像情報再生装置において、
前記プログラム中の時間情報を抽出する時間情報抽出手段を設け、前記プログラムが変更されたときに前記時間情報抽出手段に得られる時間情報を基準として前記記録手段に記録しているデータを変更されたプログラムの先頭部分データに記録しなおすようにしたことを特徴とする映像情報再生装置。
【請求項５】 請求項４記載の映像情報再生装置において、
前記制御手段の時間情報として前記時間情報抽出手段に得られる時間情報を使用するようにしたことを特徴とする映像情報再生装置。
【請求項６】 請求項４記載の映像情報再生装置において、
前記制御手段は、上記複数チャンネルのうちの１つのチャンネルにより配信されるスケジュール情報より、プログラムが変更されたことを検出し、この検出結果に基づいて、時間情報抽出手段により時間情報を抽出してプログラムの変更を行うことを特徴とする映像情報再生装置。
【請求項７】 請求項４記載の映像情報再生装置において、
前記記録媒体は、ハードディスクからなり、前記ハードディスクの所定領域に前記先頭部分データを記録し、再生時、前記所定領域に記録された前記先頭部分データと前記先頭部データに続くデータを、シームレスに前記ハードディスクから再生するようにしたことを特徴とする映像情報再生装置。
【請求項８】 請求項７記載の映像情報再生装置において、
前記制御手段の時間情報として前記時間情報抽出手段に得られる時間情報を使用して、上記ハードディスクの所定領域の先頭データを記録するようにしたことを特徴とする映像情報再生装置。
【請求項９】 同一のプログラムが所定の時間差をもって複数チャンネル上に配信される放送信号を用いた映像情報の再生方法であり、
前記プログラムの先頭部分データを予め前記所定の時間差分、データの書き込みとデータの読み出しとを並行して行える記録媒体上に記録し、
前記プログラムの再生が選択されたときに、前記記録媒体に記録した前記所定の時間差分の先頭部分データを再生し、
前記先頭部分データを再生中に、前記先頭部分データに続くデータを前記記録媒体に書き込み、前記先頭部分データに引き続いて前記記録媒体から続きデータを読み出し、出力する如く制御する映像情報の再生方法において、
前記プログラム中の時間情報を抽出し、前記プログラムが変更されたときに前記時間情報抽出手段に得られる時間情報を基準として、前記記録媒体に記録しているデータを、変更されたプログラムの先頭部分データに記録しなおすようにしたことを特徴とする映像情報の再生方法。
【請求項１０】 請求項９記載の映像情報の再生方法において、
上記複数チャンネルのうちの１つのチャンネルにより配信されるスケジュール情報より、プログラムが変更されたことを検出し、この検出結果に基づいて、時間情報抽出手段により時間情報を抽出してプログラムの変更を行うことを特徴とする映像情報の再生方法。
【手続補正３】
【補正対象書類名】明細書
【補正対象項目名】０００１
【補正方法】変更
【補正の内容】
【０００１】
【発明の属する技術分野】
本発明は、ニア・ビデオ・オン・デマンドＮＶＯＤ（Ｎｅａｒ  ＶｉｄｅｏＯｎ  Ｄｅｍａｎｄ）（時間差配信サービス）が採用される例えばＣＡＴＶ、衛星放送における端末に適用される映像情報再生装置及び映像情報の再生方法に関する。
【手続補正４】
【補正対象書類名】明細書
【補正対象項目名】０００６
【補正方法】変更
【補正の内容】
【０００６】
【課題を解決するための手段】
本発明映像情報再生装置は同一のプログラムが所定の時間差をもって複数チャンネル配信されるニア・ビデオ・オン・デマンドシステムにおける映像情報再生装置であって、このプログラムの先頭部分データを予めこの所定の時間差分記録する記録手段と、この記録手段に記録したこの所定の時間差分の先頭部分データを再生するデジタル信号再生手段と、データの書き込みとデータの読み出しとを並行して行うことができるメモリ手段と、このプログラムが選択されたときに、このデジタル信号再生手段によりこの先頭部分データを再生し、この先頭部分データを再生中に、この先頭部分データに続くデータをこのメモリ手段に書き込み、この先頭部分データに引き続いてこのメモリ手段から続きデータを読み出し、出力する如く制御する制御手段とを有する映像情報再生装置において、このプログラム中の時間情報を抽出する時間情報抽出手段を設け、このプログラムが変更されたときに、この時間情報抽出手段に得られる時間情報を基準として、この記録手段に記録しているデータを変更されたプログラムの先頭部分データに記録しなおすようにしたものである。
【手続補正５】
【補正対象書類名】明細書
【補正対象項目名】０００８
【補正方法】変更
【補正の内容】
【０００８】
【発明の実施の形態】
以下図面参照して本発明映像情報再生装置及び映像情報の再生方法の実施の形態の例につき説明しよう。